(57)【要約】【課題】この発明は、利用者が選択した情報を表示する表示器を利用者の移動に合わせて切り換えるようにして、利用者がマンコンベアに乗りながら興味のある情報を疲れることなく取得できるようにしたマンコンベアの情報提供装置を得る。【解決手段】表示器７が動く歩道１の進行方向に所定間隔で配設され、情報選択台５が動く歩道１の乗り場口に設置され、情報選択台５からのメニュー選択信号に基づいて、選択されたメニューに対応する提供情報の表示データをデータベース１０から読み出し、読み出された表示データに基づいて表示器７に提供情報を表示させる情報表示装置制御部９を備えている。そして、情報表示装置制御部９は、提供情報の表示を走行路の進行に合わせて進行方向の前方に位置する表示器７に順次移行するように表示器７を駆動制御する。【選択図】図３
2006001684.tif 000002
【特許請求の範囲】
【請求項１】
走行路、該走行路の両側に、該走行路の進行方向に沿って延設された一対の欄干、および、該欄干上部を該走行路と同期して移動するように配設された移動手摺りを有するマンコンベアと、
一方の上記欄干の外側に、上記走行路の進行方向に所定の間隔毎に配設された複数の表示器と、
上記マンコンベアの乗り場口に設置され、上記表示器に表示する提供情報のメニューを表示する情報選択表示器を有し、該情報選択表示器に表示された該メニューからのメニュー選択信号を出力する情報選択台と、
上記表示器に表示される複数の提供情報の表示データを格納するデータベースと、
上記情報選択台からの上記メニュー選択信号に基づいて選択されたメニューに対応する提供情報の表示データを上記データベースから読み出し、読み出された該表示データに基づいて上記表示器に該提供情報を表示させる制御手段と、を備え、
上記制御手段は、上記提供情報が上記走行路の進行に合わせて進行方向の前方に位置する上記表示器に順次切り替え表示されるように上記複数の表示器を駆動制御することを特徴とするマンコンベアの情報提供装置。
【請求項２】
上記制御手段は、上記提供情報が進行方向の前方に位置する上記表示器に順次切り換え表示される過程で、該提供情報の表示内容を切り替えることを特徴とする請求項１記載のマンコンベアの情報提供装置。
【請求項３】
上記表示器に表示される上記提供情報を切り換える表示切り替えスイッチが、上記一方の欄干のデッキボード上に、上記複数の表示器のそれぞれに相対するように設置され、
上記制御手段は、上記表示切り替えスイッチの出力信号に基づいて、上記提供情報の表示内容を切り替えることを特徴とする請求項１又は請求項２記載のマンコンベアの情報提供装置。
【請求項４】
上記制御手段は、上記メニュー選択信号の受信から上記提供情報が上記走行路の進行方向の２番目の表示器に表示されるまでの間、上記メニュー選択信号を無効とするように制御することを特徴とする請求項１乃至請求項３のいずれか１項に記載のマンコンベアの情報提供装置。
【請求項５】
上記制御手段は、上記マンコンベアの起動信号に基づいて上記メニュー選択信号を有効とするように制御することを特徴とする請求項１乃至請求項４のいずれか１項に記載のマンコンベアの情報提供装置。
【発明の詳細な説明】
【技術分野】
【０００１】
この発明は、動く歩道、エスカレータなどのマンコンベアの利用者に情報を提供するためのマンコンベアの情報提供装置に関するものである。
【背景技術】
【０００２】
従来のエスカレータにおける情報提供装置は、表示器がデッキボード上に踏み段の移動方向に沿って延設され、表示器に表示される文字列を踏み段の移動方向に移動させて、エスカレータに乗っている利用者に情報を提供するように構成されていた（例えば、特許文献１参照）。
【０００３】
【特許文献１】特開平７−２０６３４９号公報
【発明の開示】
【発明が解決しようとする課題】
【０００４】
従来のエスカレータにおける情報提供装置においては、表示器に表示される文字列が踏み段に乗っている利用者と同じ方向に移動することになり、利用者が内容を理解するには、移動表示される文字列を凝視しなければならず、利用者を疲れさせてしまうという問題があった。また、表示器に表示される情報は提供者側の都合によって提供されるものであり、利用者にとって、興味を引くものでなかったり、見流されたりしてしまうという問題もあった。
【０００５】
この発明は、利用者が提供される情報を選択できるようにし、かつ、表示器をマンコンベアの移動方向に所定間隔毎に設置し、利用者が選択した情報を表示する表示器を利用者の移動に合わせて切り換えるようにして、利用者がマンコンベアに乗りながら興味のある情報を疲れることなく取得できるようにしたマンコンベアの情報提供装置を得ることを目的とする。
【課題を解決するための手段】
【０００６】
この発明によるマンコンベアの情報提供装置は、走行路、該走行路の両側に、該走行路の進行方向に沿って延設された一対の欄干、および、該欄干上部を該走行路と同期して移動するように配設された移動手摺りを有するマンコンベアと、一方の上記欄干の外側に、上記走行路の進行方向に所定の間隔毎に配設された複数の表示器と、上記マンコンベアの乗り場口に設置され、上記表示器に表示する提供情報のメニューを表示する情報選択表示器を有し、該情報選択表示器に表示された該メニューからのメニュー選択信号を出力する情報選択台と、上記表示器に表示される複数の提供情報の表示データを格納するデータベースと、上記情報選択台からの上記メニュー選択信号に基づいて選択されたメニューに対応する提供情報の表示データを上記データベースから読み出し、読み出された該表示データに基づいて上記表示器に該提供情報を表示させる制御手段と、を備え、上記制御手段は、上記提供情報が上記走行路の進行に合わせて進行方向の前方に位置する上記表示器に順次切り替え表示されるように上記複数の表示器を駆動制御するものである。
【発明の効果】
【０００７】
この発明によれば、マンコンベアの利用者が情報選択表示器に表示されたメニューからのメニューを選択することにより、選択されたメニューに対応する情報が表示器に表示される。また、情報を表示する表示器が利用者の移動と共に切り替わり、情報が常に利用者に身近な表示器に表示される。そこで、利用者は、マンコンベアに乗りながら、興味のある情報を取得することができる。また、利用者は、情報が身近の表示器に表示されるので、流れる表示を凝視することもなく、疲れることなく情報を取得することができる。
【発明を実施するための最良の形態】
【０００８】
実施の形態１．
図１はこの発明の実施の形態１に係る歩く歩道に適用された情報提供装置の構成を模式的に示す側面図、図２はこの発明の実施の形態１に係る歩く歩道に適用された情報提供装置の構成を模式的に示す上面図、図３はこの発明の実施の形態１に係る歩く歩道に適用された情報提供装置の構成を示すブロック図である。
【０００９】
図１乃至図３において、マンコンベアとしての動く歩道１は、機械室（図示せず）内に設置された駆動機構（図示せず）の駆動力を受けて移動する走行路としての無端状のゴムベルト２と、ゴムベルト２の両側に立設され、かつ、該ゴムベルト２の進行方向に延設された一対の欄干３と、各欄干３の上部をゴムベルト２の移動に同期して移動するように配設された移動手摺り４と、を備えている。そして、動く歩道１は、例えば空港や駅などのターミナルからインフォメーションやバス、タクシーなどの乗り場がある玄関口に向かう通路の壁際に設けられている。また、情報選択台５が動く歩道１の乗り場口に立設され、情報選択表示器６が情報選択台５の上面に設置されている。また、表示器７は、例えばプラズマ表示装置が用いられ、動く歩道１の乗り場口付近を先頭に、動く歩道１の全長に渡って所定間隔毎に動く歩道１の一側の壁面８に設置されている。
そして、表示器７はそれぞれ例えば機械室内に設置された制御手段としての情報表示装置制御部９に接続されている。また、動く歩道１の起動スイッチ１１および情報選択表示器６が情報表示装置制御部９に接続されている。データベース１０は、情報選択表示器６および表示器７に表示されるデータが格納されている。
【００１０】
情報選択表示器６は、図４および図５に示されるように、情報選択画面１２と、選択釦１３と、を備えている。情報選択画面１２は、「観光スポット」、「旅館・ホテル」、「お食事処」、「動物」などのメニューを表示するメニュー表示部１２ａと、「選べません」、「選んで下さい」を表示する指示表示部１２ｂとを有し、選択釦１３を押すことで、メニューが選択されるようになっている。なお、指示表示部１２ｂが「選べません」の表示となっている場合には、メニューの選択が無効となるように構成されている。
【００１１】
データベース１０には、各メニューを情報選択表示器６に表示するためのメニュー表示データ１４、各メニューに対応する提供情報を表示器７に表示するための情報表示データ１５、各広告を表示器７に表示するための広告表示データ１６などが格納されている。
【００１２】
具体的には、情報選択画面１２のメニュー表示部１２ａに表示されるメニューおよび指示表示部１２ｂに表示されるメニューとしては、図４および図５に示されるように、「観光スポット」、「旅館・ホテル」、「お食事処」、「動物」、「選べません」、「選んで下さい」などがあり、これらのメニューを表示するためのデータがメニュー表示データ１４に格納されている。
また、「観光スポット」のメニューに対しては、図６の（ａ）に示されるように、「東京ランド」２０ａ、「青山ヒルズ」２０ｂ、「オランダ教会」２０ｃ、「台場浜」２０ｄなどの提供情報を表示するためのデータが情報表示データ１５に格納されている。また、「お食事処」のメニューに対しては、図６の（ｂ）に示されるように、「中華料理北京」２１ａ、「和の銀座亭」２１ｂ、「レストランクラシック」２１ｃ、「インターネットカフェ丸の内」２１ｄなどの提供情報を表示するためのデータが情報表示データ１５に格納されている。また、「旅館・ホテル」のメニューに対しては、図６の（ｃ）に示されるように、「ホテルサニー」２２ａ、「タワーホテル」２２ｂ、「旅館上野屋」２２ｃ、「旅館田舎」２２ｄなどの提供情報を表示するためのデータが情報表示データ１５に格納されている。また、「動物」のメニューに対しては、図６の（ｄ）に示されるように、「猫」２３ａ、「犬」２３ｂ、「魚」２３ｃ、「鳥」２３ｄなどの提供情報を表示するためのデータが情報表示データ１５に格納されている。さらに、広告表示データ１６には、図６の（ｅ）に示されるように、「新橋交通」２４ａ、「七色フィルム」２４ｂ、「タケイ」２４ｃ、「品川薬局」２４ｄなどの広告を表示器７に表示するためのデータが格納されている。
【００１３】
つぎに、このように構成された情報提供装置の動作について情報表示装置制御部９の制御動作を主体として図７のフローを参照しつつ説明する。なお、図７において、ステップ１００〜ステップ１１７を便宜上Ｓ１００〜Ｓ１１７としている。ここで、動く歩道１のゴムベルト２の移動速度が３０ｍ／ｍｉｎと設定されているものとする。また、表示器７は一辺０．５ｍの正方形に形成され、１ｍピッチで配設されているものとする。
【００１４】
まず、情報表示装置制御部９は、起動スイッチ１１の動作信号をモニターしている（Ｓ１００）。そして、起動スイッチ１１の動作信号がｏｆｆであると、動く歩道１が休止中であると判断してＳ１０１に移行し、メニュー表示データ１４から「観光スポット」、「旅館・ホテル」、「お食事処」、「動物」、「選べません」の表示データを読み出し、情報選択表示器６に出力、表示させる。これにより、図４に示されるメニュー表示が情報選択画面１２のメニュー表示部１２ａおよび指示表示部１２ｂに表示される。ついで、Ｓ１０２に移行して、広告表示データ１６から「新橋交通」２４ａ、「七色フィルム」２４ｂ、「タケイ」２４ｃ、「品川薬局」２４ｄなどの広告データを読み出し、各表示器７に出力、表示させる。これにより、図８に示されるように、各広告が対応する表示器７ａ，７ｂ，７ｃ，７ｄ，７ｅ・・・にそれぞれ表示される。
【００１５】
また、Ｓ１００において、起動スイッチ１１の動作信号がｏｎとなると、即ち起動信号が出力されると、動く歩道１が稼働中であると判断してＳ１０３に移行し、メニュー表示データ１４から「観光スポット」、「旅館・ホテル」、「お食事処」、「動物」、「選んで下さい」の表示データを読み出し、情報選択表示器６に出力、表示させる。これにより、図５に示されるメニュー表示が情報選択画面１２のメニュー表示部１２ａおよび指示表示部１２ｂに表示され、４つの選択釦１３が有効となる。ついで、Ｓ１０４に移行して、広告表示データ１６から「新橋交通」２４ａ、「七色フィルム」２４ｂ、「タケイ」２４ｃ、「品川薬局」２４ｄなどの広告データを読み出し、表示器７に出力、表示させる。
ついで、Ｓ１０５に移行して、選択釦１３からのメニュー選択信号をモニターし、メニュー選択が行われたか否かを判定する。
【００１６】
ここで、図８に示されるように、利用者Ａが情報選択台５に近づき、メニュー表示部１２ａから所望のメニュー、例えば、「観光スポット」に対応する選択釦１３を押して、動く歩道１に乗りこむ。そこで、情報表示装置制御部９は、選択釦１３からのメニュー選択信号に基づいて「観光スポット」メニューが選択された判断してＳ１０６に移行し、メニュー表示部１２ａの画面を図４の画面に切り換えて選択釦１３を無効とする。
【００１７】
ついで、Ｓ１０７に移行して、情報表示装置制御部９は、メニューが選択されてから所定時間、例えば２秒経過したか否かを判定する。そして、Ｓ１０７において、２秒経過したと判定すると、Ｓ１０８に移行し、メニュー表示部１２ａの画面を図５の画面に切り換えて選択釦１３を有効とする。ついで、Ｓ１０９に移行して、係数ｎを１インクリメントする。ついで、Ｓ１１０に移行して、情報表示データ１５から「東京ランド」２０ａに対応する提供情報データを読み出し、動く歩道１の進行方向の１番目の表示器７ａ（乗り場口に最も近い表示器）に出力、表示させる。これにより、図９に示されるように、利用者Ａが動く歩道１に乗りこむ際に、「東京ランド」２０ａに関する提供情報が１番目の表示器７ａに表示される。
【００１８】
ついで、Ｓ１１１に移行して、提供情報が表示されてから所定時間（２秒）経過したか否かを判定する。そして、Ｓ１１１において、２秒経過したと判定すると、Ｓ１１２に移行して、係数ｎを１インクリメントする。
ついで、Ｓ１１３に移行して、ｎ＝４か否かを判定する。そして、ｎ≠４と判定されると、Ｓ１１４に移行して、提供情報を進行方向１つ前方の表示器７に表示するとともに、提供情報が表示されていた表示器７に元の広告を表示させ、Ｓ１１７に移行する。また、Ｓ１１３において、ｎ＝４と判定されると、Ｓ１１５に移行して、係数ｎを「０」にリセットし、Ｓ１１６に移行して、新たな提供情報を進行方向１つ前方の表示器７に表示するとともに、提供情報が表示されていた表示器７に元の広告を表示させ、Ｓ１１７に移行する。Ｓ１１７では、利用者が動く歩道１を降りたか否かを判定する。この判定は、例えば、Ｓ１０５において、メニューが選択されたと判定されてからの経過時間が判定時間（動く歩道１の乗り場口から降り口までの所要時間）より長いか否かにより行うことができる。そして、利用者が動く歩道１をまだ降りていないと判定されると、Ｓ１１１に戻る。
【００１９】
そこで、メニューが選択されてから４秒後には、図１０に示されるように、１番目の表示器７ａの表示が「東京ランド」２０ａに関する提供情報から「新橋交通」２４ａの広告に切り換えられ、２番目の表示器７ｂの表示が「七色フィルム」２４ｂの広告から「東京ランド」２０ａに関する提供情報に切り換えられる。そして、６秒後には、図１１に示されるように、２番目の表示器７ｂの表示が「東京ランド」２０ａに関する提供情報から「七色フィルム」２４ｂの広告に切り換えられ、３番目の表示器７ｃの表示が「タケイ」２４ｃの広告から「東京ランド」２０ａに関する提供情報に切り換えられる。さらに、８秒後には、図１２に示されるように、情報表示データ１５から次の提供情報である「青山ヒルズ」２０ｂに対応する提供情報データが読み出され、４番目の表示器７ｄに出力、表示させる。
このように、「観光スポット」メニューに関する提供情報が、２秒毎に、表示器７ａ、表示器７ｂ、表示器７ｃ、表示器７ｄ、表示器７ｅ・・・に順次切り替え表示される。さらに、表示器７ａ，７ｂ，７ｃ，７ｄ，７ｅ・・・に表示される提供情報の内容が８秒毎に「東京ランド」２０ａ→「青山ヒルズ」２０ｂ→「オランダ教会」２０ｃ→「台場浜」２０ｄ・・・と切り換えられる。
【００２０】
そして、動く歩道１のゴムベルト２の移動速度が３０ｍ／ｍｉｎと設定されているので、利用者が隣り合う表示器７の中間位置に到達すると、「観光スポット」に関する提供情報が進行方向１つ前方の表示器７に表示されることになる。なお、各表示器７ａ，７ｂ，７ｃ，７ｄ，７ｅ・・・は、広告から「観光スポット」に関する提供情報に切り換え表示された後、２秒後に、元の広告に切り替え表示される。
【００２１】
ついで、図９に示されるように、利用者Ａがメニューの選択後、２秒以内に次の利用者Ｂが情報選択台５に到達すると、選択釦１３が無効となっている。そこで、利用者Ｂは、そのまま動く歩道１に乗りこむか、選択釦１３が有効となるのを待つことになる。
【００２２】
そして、メニュー表示部１２ａの画面が図５の画面に切り換わった後、利用者Ｂがメニュー表示部１２ａから所望のメニュー、例えば、「お食事処」に対応する選択釦１３を押して、動く歩道１に乗りこむ。そこで、情報表示装置制御部９は、メニューが選択されたと判断し（Ｓ１０５）、直ちにメニュー表示部１２ａの画面を図４の画面に切り換えて選択釦１３を無効とする（Ｓ１０６）。その後、上述の通り、Ｓ１０７〜Ｓ１１７を実行することになる。
【００２３】
そこで、利用者Ｂによりメニューが選択されてから２秒後に、メニュー表示部１２ａの画面が図５の画面に切り換えられ選択釦１３が有効とされ、情報表示データ１５から「中華料理北京」２１ａに対応する提供情報データが読み出され、動く歩道１の移動方向の１番目の表示器７ａに出力、表示される。
そして、図１０に示されるように、利用者Ｂが動く歩道１に乗りこむ際に、「中華料理北京」２１ａに関する提供情報が１番目の表示器７ａに表示される。そして、４秒後に、図１１に示されるように、１番目の表示器７ａの表示が「中華料理北京」２１ａに関する提供情報から「新橋交通」２４ａの広告に切り換えられ、２番目の表示器７ｂの表示が「七色フィルム」２４ｂの広告から「中華料理北京」２１ａに関する提供情報に切り換えられる。そして、６秒後に、図１２に示されるように、２番目の表示器７ｂの表示が「中華料理北京」２１ａに関する提供情報から「七色フィルム」２４ｂの広告に切り換えられ、３番目の表示器７ｃの表示が「タケイ」２４ｃの広告から「中華料理北京」２１ａに関する提供情報に切り換えられる。さらに、８秒後に、図１３に示されるように、情報表示データ１５から次の提供情報である「和の銀座亭」２１ｂに対応する提供情報データが読み出され、４番目の表示器７ｄに出力、表示される。
このように、「お食事処」メニューに関する提供情報が、２秒毎に、表示器７ａ、表示器７ｂ、表示器２ｃ、表示器７ｄ、表示器７ｅ・・・に順次切り替え表示される。さらに、表示器７ａ，７ｂ，７ｃ，７ｄ，７ｅ・・・に表示される内容が８秒毎に「中華料理北京」２１ａ→「和の銀座亭」２１ｂ→「レストランクラシック」２１ｃ→「インターネットカフェ丸の内」２１ｄ・・・と切り換えられる。
【００２４】
ここで、利用者Ｂが隣り合う表示器７の中間位置に到達すると、提供情報が進行方向１つ前方の表示器に表示されることになる。なお、各表示器７ａ，７ｂ，７ｃ，７ｄ，７ｅ・・・は、広告から「お食処」に関する提供情報に切り換え表示された後、２秒後に、元の広告に切り替え表示される。
【００２５】
このように、この実施の形態１によれば、歩く歩道１の乗り場口付近に情報選択台５を設置し、情報選択台５に設けられた情報選択表示器６のメニュー表示部１２ａから提供を受けたい情報を選択することができる。従って、利用者は動く歩道１に乗って降り口に到着するまでに必要な情報を取得することができる。
そこで、本装置が空港や駅などのターミナルからインフォメーションやバス、タクシーなどの乗り場がある玄関口に向かう通路の壁際に設けられる場合には、不慣れな土地に降り立った旅行者や出張者が、動く歩道１に乗って玄関口に移動するまでに、観光、食事、宿泊などの必要な情報を取得することができる。
また、利用者が、「動物」のメニューを選択すれば、動物の画像を見ながら動く歩道１に乗って移動することになり、癒された気分となる。
【００２６】
また、提供情報が２秒毎に進行方向の前方に位置する表示器７に順次切り換え表示されるようになっている。つまり、利用者が動く歩道１に乗って移動するのにあわせて、提供情報が利用者の身近の表示器７に表示される。そこで、利用者は、進行方向に間近の表示器７に情報が表示されるので、疲れることなく提供情報を見ることができる。
また、提供情報が進行方向の前方に位置する表示器７に順次切り換え表示される過程で、提供情報の表示内容が切り替えられるようになっている。そこで、利用者の取得する情報量が多くなる。
また、メニュー選択信号の受信から提供情報が乗り場口側から２番目の表示器７ｂに表示されるまでの間、メニュー選択信号が無効となるように構成されている。そこで、次の利用者が、メニューを選択して、前の利用者が選択したメニューの情報が切り換えられるような不都合が未然に防止される。
また、動く歩道１の起動スイッチ１１からの起動信号に基づいて選択釦１３を有効としているので、動く歩道１の停止中のメニュー選択動作が確実に防止され、不要な動作をなくすことができる。
【００２７】
なお、上記実施の形態１では、提供情報が２秒毎に進行方向の前方の表示器７に順次切り換え表示されるものとして説明しているが、この切り換え時間は２秒に限定されるものではなく、提供情報が利用者の身近な表示器７に表示されるように、動く歩道１の速度に合わせて適宜設定されるものである。
また、上記実施の形態１では、８秒毎に、提供情報の表示内容を切り換えるものとして説明しているが、この表示切り替え時間は８秒に限定されるものではなく、設置環境などに合わせて適宜設定されるものである。
【００２８】
実施の形態２．
図１４はこの発明の実施の形態２に係る歩く歩道に適用された情報提供装置の構成を模式的に示す上面図、図１５はこの発明の実施の形態２に係る歩く歩道に適用された情報提供装置における表示切り替えスイッチ周りを示す要部平面図である。
図１４において、欄干３のデッキボード３ａが外側（反ゴムベルト側）に競り出ており、表示切り替えスイッチ３０がデッキボード３ａ上の各表示器７と相対する位置にそれぞれ設置されている。
この表示切り替えスイッチ３０は、図１５に示されるように、送り釦３０ａと固定釦３０ｂとを備え、情報表示装置制御部９と電気的に接続されている。そして、送り釦３０ａおよび固定釦３０ｂのスイッチオン信号が情報表示装置制御部９に出力されるようになっている。また、表示切り替えスイッチ３０は、進行方向に細長の形状に形成されており、利用者がタッチしやすいようになっている。
なお、他の構成は上記実施の形態１と同様に構成されている。
【００２９】
この実施の形態２によれば、利用者が動く歩道１に乗って特定の表示画面の前まで移動してきたときに、現在の表示情報をもっと見たい場合には、固定釦３０ｂをタッチする。これにより、情報表示装置制御部９は、８秒毎に表示内容を切り換えていた制御を止め、現在の画像を固定して表示器７に表示する。そこで、利用者は、固定釦３０ｂをタッチした後、見たい画像が常に身近の表示器７に表示されている。
また、送り釦３０ａをタッチすれば、情報表示装置制御部９は、表示器７に表示されている情報表示を他の情報表示に切り換える。そこで、見たい情報表示になるまで送り釦３０ａをタッチすることにより、見たい画像を常に身近の表示器７に表示されるようにすることができる。
【００３０】
従って、利用者の要求に沿った情報提供を行うことができる。また、表示切り替えスイッチ３０が進行方向に細長に形成されているので、動く歩道１に乗って移動する利用者が簡易に送り釦３０ａおよび固定釦３０ｂをタッチすることができ、操作性を向上させることができる。
【００３１】
なお、上記各実施の形態では、動く歩道に適用するものとして説明しているが、エスカレータなどのマンコンベアに適用しても、同様の効果が得られる。
また、上記各実施の形態では、無端状のゴムベルトを走行路に用いるものとして説明しているが、踏み板、踏み段などを無端状に連結して走行路を構成しても、同様の効果を奏する。
【図面の簡単な説明】
【００３２】
【図１】この発明の実施の形態１に係る歩く歩道に適用された情報提供装置の構成を模式的に示す側面図である。
【図２】この発明の実施の形態１に係る歩く歩道に適用された情報提供装置の構成を模式的に示す上面図である。
【図３】この発明の実施の形態１に係る歩く歩道に適用された情報提供装置の構成を示すブロック図である。
【図４】この発明の実施の形態１に係る歩く歩道に適用された情報提供装置における情報選択表示器の選択釦無効状態のメニュー表示画面を示す平面図である。
【図５】この発明の実施の形態１に係る歩く歩道に適用された情報提供装置における情報選択表示器の選択釦有効状態のメニュー表示画面を示す平面図である。
【図６】この発明の実施の形態１に係る歩く歩道に適用された情報提供装置の動作を説明するフローチャートである。
【図７】この発明の実施の形態１に係る歩く歩道に適用された情報提供装置の動作を説明する動作説明図である。
【図８】この発明の実施の形態１に係る歩く歩道に適用された情報提供装置の動作を説明する動作説明図である。
【図９】この発明の実施の形態１に係る歩く歩道に適用された情報提供装置の動作を説明する動作説明図である。
【図１０】この発明の実施の形態１に係る歩く歩道に適用された情報提供装置の動作を説明する動作説明図である。
【図１１】この発明の実施の形態１に係る歩く歩道に適用された情報提供装置の動作を説明する動作説明図である。
【図１２】この発明の実施の形態１に係る歩く歩道に適用された情報提供装置の動作を説明する動作説明図である。
【図１３】この発明の実施の形態１に係る歩く歩道に適用された情報提供装置の動作を説明する動作説明図である。
【図１４】この発明の実施の形態２に係る歩く歩道に適用された情報提供装置の構成を模式的に示す上面図である。
【図１５】この発明の実施の形態２に係る歩く歩道に適用された情報提供装置における表示切り替えスイッチ周りを示す要部平面図である。
【符号の説明】
【００３３】
１  動く歩道（マンコンベア）、２  ゴムベルト（走行路）、３  欄干、３ａ  デッキボード、４  移動手摺り、５  情報選択台、６  情報選択表示器、７  表示器、９  情報表示装置制御部（制御手段）、１０  データベース、１１  起動スイッチ、３０  表示切り替えスイッチ。
【図１】
2006001684.tif 000003
【図２】
2006001684.tif 000004
【図３】
2006001684.tif 000005
【図４】
2006001684.tif 000006
【図５】
2006001684.tif 000007
【図６】
2006001684.tif 000008
【図７】
2006001684.tif 000009
【図８】
2006001684.tif 000010
【図９】
2006001684.tif 000011
【図１０】
2006001684.tif 000012
【図１１】
2006001684.tif 000013
【図１２】
2006001684.tif 000014
【図１３】
2006001684.tif 000015
【図１４】
2006001684.tif 000016
【図１５】
2006001684.tif 000017